(57)【要約】  【課題】通話機能以外の付加機能に対応可能できない、通話経路の切り替えによって誤動作が生じることがある、あるいは、付加機能を実行中に通話を行うには操作キーが必要であることから使いにくい。  【解決手段】本携帯端末１は、内部のマイク１０６およびスピーカ１０７と、外部のイヤホンマイク４が着脱可能に接続されるジャック１０５Ａと、イヤホンマイク４の接続を検出するイヤホン検出手段１０５と、これらの一方の通話信号を送信または受信する送受信部１０１とを有する。イヤホンマイク４の接続が検出されたときは、その検出結果に応じて送受信部１０１に対する通話信号の入出力経路を、内部のマイク１０６およびスピーカ１０７の側からイヤホンマイク４の側に切り換える。これより通話処理が実行されるが、このとき再生処理部の映像再生モードを維持するようにすると、ユーザに余分な操作を強いない。また、着信表示を動画表示領域に重ねないようにすると、動画に見入っているユーザに、その鑑賞を邪魔しないで着信を容易に知らせることができる。  【選択図】図１
2006211435.tif 000002
【特許請求の範囲】
【請求項１】
少なくとも音声信号による音声の出力を伴うアプリケーションプログラムを実行するアプリケーションプログラム実行手段と、
音声と通話信号とを相互に変換すると共に、前記音声信号から音声に変換する内部の音声変換手段と、
音声から通話信号へ及び／又は通話信号から音声へ変換する外部の音声変換手段を着脱可能に接続する接続部と、
通話信号を入力して送信すると共に受信した通話信号を出力することで音声の通話を行う送受信部と、
前記外部の音声変換手段の接続部への接続を検出する検出手段と、
前記送受信部により受信された通話信号及び／又は前記アプリケーションプログラムにより出力された音声信号を前記内部の音声変換手段に出力すると共に、前記送受信部により受信された通話信号を前記接続部を介して前記外部の音声変換手段に出力する出力手段と、または、前記外部の音声変換手段により外部からの音声が変換された音声信号を前記接続部を介して前記送受信部へ入力させると共に、前記内部の音声変換手段により外部からの音声が変換された音声信号を該送受信部へ入力させる入力手段と、
前記検出手段により前記外部の音声変換手段の接続が検出された場合、前記アプリケーションプログラム実行手段による前記アプリケーションプログラムの実行を継続するよう制御すると共に、前記出力手段により前記送受信部により受信された通話信号が前記接続部を介して前記外部の音声変換手段に出力されるように、及び／または、前記入力手段により前記外部の音声変換手段により外部からの音声が変換された音声信号を通話信号として該送受信部に入力されるように制御する制御手段と、
を有する携帯電話。
【請求項２】
前記内部の音声変換手段が内部のスピーカ及び内部のマイクで構成され、
前記外部の音声変換手段が外部のスピーカ及び／又は外部のマイクで構成され、
前記制御手段は、前記外部のスピーカ及び／又は前記外部のマイクが前記接続部に接続された場合、前記外部のスピーカに前記送受信部により受信された通話信号が出力されるように、及び／又は、前記外部のマイクで変換された音声信号を通話信号として該送受信部へ入力されるよう制御する
請求項１に記載の携帯端末。
【請求項３】
前記制御手段は、前記送受信部により音声信号の送受が行われている際、前記検出手段により前記外部の音声出力手段が前記接続部へ接続された状態から非接続の状態に遷移したことを検出した場合、前記アプリケーションプログラム実行手段による前記アプリケーションプログラムの実行を継続するよう制御すると共に、前記送受信部による前記音声の通話を終了するよう制御する
請求項１または２に記載の携帯端末。
【請求項４】
前記外部からの着信を検出する着信検出手段をさらに備え、
前記制御手段は、前記着信検出手段により外部からの着信を検出した際、前記検出手段により前記外部の音声変換手段が前記接続部に非接続の状態から接続の状態に遷移したことを検出した場合、前記アプリケーションプログラム実行手段による前記アプリケーションプログラムの実行を継続するよう制御すると共に、前記着信に応答して前記送受信部による通話を行うよう制御する
請求項１または３に記載の携帯端末。
【請求項５】
外部からの着信を検出する着信検出手段と、
画像を表示可能な表示手段と、
をさらに備え、
前記アプリケーションプログラム実行手段は、少なくとも映像画像を前記表示手段に表示可能なアプリケーションプログラムを実行し、
前記制御手段は、前記アプリケーションプログラム実行手段により前記表示手段に映像画像が表示されている際に、前記着信検出手段により外部からの着信を検出した場合、該表示手段に、該映像画像と共に該着信を報知する着信報知画像とを表示するよう制御する
請求項１または３に記載の携帯端末。
【請求項６】
前記制御手段は、前記着信に応答して前記送受信部による通話を行う場合、前記着信を報知する着信報知画像に代えて通話中であることを報知する通話中報知画像を、前記映像画像と共に表示するよう制御する
請求項５に記載の携帯端末。
【請求項７】
複数の電話番号、または、該複数の電話番号と該電話番号に対応した複数の相手先情報とを記憶可能な記憶部と、
画像を表示可能な表示手段と、
をさらに備え、
前記アプリケーションプログラム実行手段は、少なくとも映像画像を前記表示手段に表示可能なアプリケーションプログラムを実行し、
前記制御手段は、前記アプリケーションプログラム実行手段により前記表示手段に映像画像が表示されている際に、前記検出手段により前記外部の音声変換手段が前記接続部へ接続されたことを検出した場合、該表示手段に、該映像画像と共に前記複数の電話番号の少なくとも１又は前記複数の相手先情報の少なくとも１と対応する画像とを表示するよう制御する
請求項１または３に記載の携帯端末。
【発明の詳細な説明】
【技術分野】
【０００１】
本発明は、外部の音声変換手段（たとえば、イヤホンマイク）が着脱可能に接続でき、通話機能を有する携帯端末に関する。
【背景技術】
【０００２】
通話機能を有する携帯端末として、イヤホンマイクのケーブルを本体内に巻き取り可能に付属し、イヤホンマイクおよびそのケーブルを本体から引き出すことによって、本体に設けられている内部の音声変換手段（送話部および通話部）による音声通話路を、イヤホンマイクによる音声通話路に切り替えるものが知られている（たとえば、特許文献１参照）。
【０００３】
また、無線通話機能に他の付加機能（たとえばラジオ受信機能）を有し、この付加機能による音声を聞くためにイヤホンマイクをジャックに抜き差し可能な構成としている携帯端末が知られている（たとえば、特許文献２参照）
この特許文献２に記載された携帯端末においては、イヤホンプラグをイヤホンジャックに差し込んだ状態で、ラジオユニットを動作させ、かつ音響経路をイヤホンプラグ側に切り換えることにより、イヤホンマイク内のスピーカ部からラジオ放送を聞くことができる。このときラジオユニットの動作は、ユーザによるラジオキーの操作を制御部が検出した結果に基づいて実行される。また、音響経路の切換は、音響経路切換手段が、ラジオユニットの出力経路と通話部（本体に設けられた通話処理の回路）の音声出力経路とをイヤホンマイクに対して選択的に接続することで実行される。そして、このイヤホンマイクがイヤホンジャックから抜かれると、ラジオユニットの電源を停止して無駄な電力消費を防止している。この携帯端末は、イヤホンマイクの抜き差しを検出する手段として、イヤホン挿脱検知部を有する。
【０００４】
なお、電話機能付きテレビジョンの遠隔操作用の携帯端末（リモートコントローラ）にマイク部を設け、通話音声は、テレビジョン本体側の電話機のスピーカから出力するようにしたものも知られている（たとえば、特許文献３参照）
【特許文献１】特開平１１−１６３９８９号公報
【特許文献２】特開平１１−１１３０６３号公報
【特許文献３】特開平０７−２８４０３１号公報
【発明の開示】
【発明が解決しようとする課題】
【０００５】
上記特許文献１に記載の技術によれば、イヤホンマイクを引き出すと必ず通話モードになることから、音声出力をともなう情報出力または再生の付加機能を設ける場合、その付加機能の音声を聞くようにするには、イヤホンマイクと別のイヤホンを差し込むジャックを別途設ける必要がある。つまり、特許文献１の技術は、通話に特化した無線電話にしか好適に適用できない。
【０００６】
一方、特許文献２に記載の技術によれば、通話以外の他の付加機能を実行中に着信があった場合に、どのようにして着信に対応した通話に切り替えるかの制御が不明である。特許文献２に記載されたラジオユニットの場合、その機能をオンさせるときと逆の動作、すなわちユーザがラジオキーを再度操作して、これによりラジオ受信機能を停止させることが推測される。ただし、この場合でも、通話を本体に設けられたスピーカやマイクと通して行うのか、イヤホンマイクを通して行うのかの制御が不明である。
【０００７】
このように背景技術の携帯端末は、通話機能以外の付加機能に対応可能な構成となっていない上、付加機能を有する場合などに、その付加機能を実行中に通話信号の着信があったときにユーザに操作キーを押すといった手間を課すことなく通話可能な状態に切り換えができないという課題を有する。
また、とくに付加機能が映像を含む情報の再生の場合、多くの携帯端末ではユーザの意向とは無関係に音声再生のみならず映像再生までも停止したり一時停止したりしてしまう。ところが、通話中は音声再生を楽しむことは余りないが、映像再生なら楽しむこともできる。
【０００８】
本発明が解決しようとする第１の課題は、通話機能以外の付加機能に対応可能で、その場合、付加機能を実行中に通話信号の着信があったときにユーザに操作キーを押すといった手間を課すことなく通話可能な状態に切り換えることができる携帯端末を実現することである。
また、本発明が解決しようとする第２の課題は、ユーザに操作キーを押すといった余分な手間を課すことなく通話中も映像再生を楽しむことができる携帯端末を実現することである。
【課題を解決するための手段】
【０００９】
本発明に係る携帯端末は、少なくとも音声信号による音声の出力を伴うアプリケーションプログラムを実行するアプリケーションプログラム実行手段と、音声と通話信号とを相互に変換すると共に、前記音声信号から音声に変換する内部の音声変換手段と、音声から通話信号へ及び／又は通話信号から音声へ変換する外部の音声変換手段を着脱可能に接続する接続部と、通話信号を入力して送信すると共に受信した通話信号を出力することで音声の通話を行う送受信部と、前記外部の音声変換手段の接続部への接続を検出する検出手段と、前記送受信部により受信された通話信号及び／又は前記アプリケーションプログラムにより出力された音声信号を前記内部の音声変換手段に出力すると共に、前記送受信部により受信された通話信号を前記接続部を介して前記外部の音声変換手段に出力する出力手段と、または、前記外部の音声変換手段により外部からの音声が変換された音声信号を前記接続部を介して前記送受信部へ入力させると共に、前記内部の音声変換手段により外部からの音声が変換された音声信号を該送受信部へ入力させる入力手段と、前記検出手段により前記外部の音声変換手段の接続が検出された場合、前記アプリケーションプログラム実行手段による前記アプリケーションプログラムの実行を継続するよう制御すると共に、前記出力手段により前記送受信部により受信された通話信号が前記接続部を介して前記外部の音声変換手段に出力されるように、及び／または、前記入力手段により前記外部の音声変換手段により外部からの音声が変換された音声信号を通話信号として該送受信部に入力されるように制御する制御手段と、を有する。
【００１０】
好適に、前記内部の音声変換手段が内部のスピーカ及び内部のマイクで構成され、前記外部の音声変換手段が外部のスピーカ及び／又は外部のマイクで構成され、前記制御手段は、前記外部のスピーカ及び／又は前記外部のマイクが前記接続部に接続された場合、前記外部のスピーカに前記送受信部により受信された通話信号が出力されるように、及び／又は、前記外部のマイクで変換された音声信号を通話信号として該送受信部へ入力されるよう制御する。
好適に、前記制御手段は、前記送受信部により音声信号の送受が行われている際、前記検出手段により前記外部の音声出力手段が前記接続部へ接続された状態から非接続の状態に遷移したことを検出した場合、前記アプリケーションプログラム実行手段による前記アプリケーションプログラムの実行を継続するよう制御すると共に、前記送受信部による前記音声の通話を終了するよう制御する。
【００１１】
本発明では、好適に、前記外部からの着信を検出する着信検出手段をさらに備え、前記制御手段は、前記着信検出手段により外部からの着信を検出した際、前記検出手段により前記外部の音声変換手段が前記接続部に非接続の状態から接続の状態に遷移したことを検出した場合、前記アプリケーションプログラム実行手段による前記アプリケーションプログラムの実行を継続するよう制御すると共に、前記着信に応答して前記送受信部による通話を行うよう制御する。
また、好適に、外部からの着信を検出する着信検出手段と、画像を表示可能な表示手段と、をさらに備え、前記アプリケーションプログラム実行手段は、少なくとも映像画像を前記表示手段に表示可能なアプリケーションプログラムを実行し、前記制御手段は、前記アプリケーションプログラム実行手段により前記表示手段に映像画像が表示されている際に、前記着信検出手段により外部からの着信を検出した場合、該表示手段に、該映像画像と共に該着信を報知する着信報知画像とを表示するよう制御する。
【００１２】
本発明では、好適に、前記制御手段は、前記着信に応答して前記送受信部による通話を行う場合、前記着信を報知する着信報知画像に代えて通話中であることを報知する通話中報知画像を、前記映像画像と共に表示するよう制御する。
本発明は、好適に、複数の電話番号、または、該複数の電話番号と該電話番号に対応した複数の相手先情報とを記憶可能な記憶部と、画像を表示可能な表示手段と、をさらに備え、前記アプリケーションプログラム実行手段は、少なくとも映像画像を前記表示手段に表示可能なアプリケーションプログラムを実行し、前記制御手段は、前記アプリケーションプログラム実行手段により前記表示手段に映像画像が表示されている際に、前記検出手段により前記外部の音声変換手段が前記接続部へ接続されたことを検出した場合、該表示手段に、該映像画像と共に前記複数の電話番号の少なくとも１又は前記複数の相手先情報の少なくとも１と対応する画像とを表示するよう制御する。
【発明の効果】
【００１３】
本発明によれば、通話機能以外の付加機能に対応可能で、その場合、付加機能を実行中に通話信号の着信があったときにユーザに操作キーを押すといった手間を課すことなく通話可能な状態に切り換えることができ、他のキー操作による誤動作が防止できる。
また、本発明の他の構成によれば、ユーザは、映像再生に関する操作キーを押すことなく通話中も映像再生を楽しむことができる。
【発明を実施するための最良の形態】
【００１４】
以下、本発明の実施の形態を、無線通信機能と映像再生の付加機能を有する無線携帯端末を例として、図面を参照して説明する。
なお、通信（通話を含む）機能は有線でもよいが、本例では無線による通信を行う場合を例示する。また映像を含む情報の再生は、映像（動画、静止画を問わない）のみの再生、音声のみの再生、その両方の再生を含むものとする。ただし、以下では音声および映像を含む動画再生を例とする。
【００１５】
図１に携帯端末１の構成を示す。
この携帯端末１は、筐体１００内に、送受信部１０１、アプリケーション実行部１０２、音声制御部１０３、映像処理部１０４、イヤホン検出手段１０５、マイク１０６、スピーカ１０７、操作部１０８、メモリ１０９、着信報知手段１１０、および、制御部１２０を有する。これらの各部は、筐体１００内の単数または複数のバス２に接続され、制御部１２０に制御されて通話のための処理、映像再生のための処理など必要な処理を実行する。
【００１６】
操作部１０８は、とくに図示しないが、たとえばメニューにより階層化された画質調整や機能選択のためのキー、音量や再生などの映像または音声再生のためのボタン、さらには電話番号入力等のためのテンキーなどを備えている。
着信報知手段１１０は、たとえば着信音の出力、バイブレータの動作あるいはＬＥＤ表示などにより、着信があったことをユーザに知らせるためのものである。
制御部１２０は、通常、ＣＰＵ（中央演算処理ユニット）などのコンピュータベースの制御手段により構成されている。制御部１２０は、その内蔵のプログラムに記述された手順を、操作部１０８をユーザが操作することに対応して適宜実行することにより携帯端末１全体の機能を制御する。なお、内蔵プログラムを外部に接続したコンピュータにより書き換え可能にしてもよい。
【００１７】
図１に示す構成のうち、マイク１０６およびスピーカ１０７は、ユーザまたは通話相手の音声と、通話信号（送信信号または受信信号）とを相互に変換するためのものであり、これらが本発明の「内部の音声変換手段」の具体例に相当する。なお、スピーカ１０７は、通話のほかに音声再生のために用いるようにしてもよいし、あるいは、このために大小２つのスピーカを設けてもよい。
携帯端末の筐体１００に、「外部の音声変換手段」としてのイヤホンマイク４、マイクまたはスピーカ５を任意に接続可能な「接続部」としてのジャック１０５Ａが設けられている。イヤホンマイク４は、音声と通話信号とを相互に変換することができ、イヤホンやヘッドフォン５は、通話信号または他の音声信号を音声に変換して出力することができる。
ジャック１０５Ａにイヤホン検出手段１０５が接続されており、このイヤホン検出手段１０５によって、とくにイヤホンマイク５等が挿入されて接続されたこと、これが抜かれて非接続となったことが検出される。この検出信号は制御部１２０に送られる。
【００１８】
送受信部１０１に、筐体１００に設けられているアンテナ３が接続されている。
送受信部１０１は、とくに詳細は図示しないが、回路ブロック的には、フロントエンド部、受信側回路および送信側回路に大別される。また、送受信部１０１は、通常の無線通信機と同様な受信処理のための機能、すなわち、基地局から送信される無線周波数信号を受信して受信側に送り、それを中間（または低い）周波数に変換し、増幅し、通信方式に適合した復調および信号処理を行うための各種受信処理回路を有する。また、送受信部１０１は、通常の無線通信機と同様に送信処理のための機能、すなわち、通話信号などの送信信号に対し所定の通信方式に適合した信号処理および変調を施し、増幅し、送信周波数信号に変換し、アンテナ３から基地局に送信するための各種送信処理回路を有する。
【００１９】
アプリケーション実行部１０２は、映像を含む情報の再生および表示を行う。また、このアプリケーション実行部１０２からの映像画像を表示する表示部１０２Ａを有する。アプリケーション実行部１０２は、内蔵の、あるいは外部から挿入される記録媒体に記録され、または、無線通信路を介してダウンロードしメモリ１０９に蓄積されている映像コンテンツ（および音声）を再生して、表示領域１０２Ａ（およびスピーカ１０７）に出力する。
【００２０】
音声制御部１０３は、イヤホンマイク４、マイク１０６およびスピーカ１０７に出力する音のレベル（ゲイン）の制御、出力先の制御を行う。本例において、この出力先の制御が本発明の「切換部」の機能を実現するものである。すなわち、音声制御部１０３は、イヤホン検出手段１０５の検出結果が制御部１２０を介して当該音声制御部１０３に入力されると、その検出結果が、イヤホンマイク４が接続されていることを示すときは、送受信部１０１に対するゲイン調整後の通話信号の入出力経路を、内蔵のマイク１０６およびスピーカ１０７の側から、接続されたイヤホンマイク４の側に切り換える。なお、この切換部の機能は制御部１２０に持たせても構わない。
【００２１】
映像処理部１０４は、画面の輝度、コントラストなどの通常の画質調整機能に加え、アプリケーション実行部１０２内の再生部（不図示）から出力された映像に、後述する着信状態および通話中の表示を行うアイコン、発信元情報あるいは発信先リストを合成する機能を実現するための回路である。この処理に必要な場合、映像処理部１０４はメモリ１０９を画像メモリとして適宜利用することができる。画質調整または画像合成後の映像信号は、表示手段１０２に送られ表示される。
【００２２】
本例の制御部１２０に、通話処理制御手段１２１と通話終了制御手段１２２が設けられている。これらの手段は、それぞれ「通話処理」と「通話終了処理」とを実行するものであり、それらの処理の手順が制御部１２０内のプログラムに記述されインプリメントされている。「通話処理」と「通話終了処理」は、その手順を記述したプログラム箇所（サブルーチン）に即して、対応する構成（たとえば音声制御部１０３や映像処理部１０４）を制御部１２０が制御することにより、具体的に実行される。
【００２３】
ここで「通話処理」は、オフフック処理のほかに、通話のために着信があったときに、そのことを図１に示す着信報知手段１１０により知らせ、また、着信があった通話信号の発信元情報、アイコンによる着信表示を表示手段１０２Ａに表示すること、着信履歴の更新などを含む。さらに「通話処理」は、ユーザが通話しようとする場合、その発信先の情報（発信先リストとしての、いわゆるアドレス帳の表示または着信履歴の表示）、その選択による発信先の特定、テンキーにより押された番号の表示などを含む。これらの通話処理において、とくにユーザが映像再生中のときに必要な情報として、たとえば着信表示、通話中の表示、発信元情報（電話番号）の表示などを再生中の映像に合成することを映像処理部１０４に指示し、その合成後の画像を表示手段１０２Ａに表示させる。
【００２４】
また「通話終了処理」は、予め決められた所定の対応、たとえば自動的に「現在、電話にでることができません」とのメッセージをメモリ１１０内の合成音声として発信する、あるいは留守録のメッセージを発信して相手からの通話をメモリ１０９に記録する、相手の要件を伺うなどの所定内容の電子メールを発信する、あるいは、通話を強制的に切るなどの対応を含む。また、これらの対応に移行する前に、ユーザが通話を選択するための猶予を与えるために一定時間のカウントを行い、この時間経過後に、予め決められた対応を実行する。とくに図１には示していないが、このため制御部１２０内にタイマを有する。
【００２５】
さらに制御手段１２０のプログラムにおいて、動画再生時に着信があったときは、動画再生モードを維持したままにすることがデフォルトで決められている。この制御も上記「通話処理」の一つとして行われる。
このとき、音声については一時停止（ミュート）にするか、極小さい音量にするかは、ユーザが予め選択できる。着信後にユーザの操作により、または、予めユーザによる変更によって、このデフォルトから動画再生モードの停止または一時停止も選択可能になっている。このときの前提として再生モード、停止モード、一時停止モードは任意に状態遷移可能である。これらの操作項目の一部は、図１に示す操作部内のメニュー項目として設けられ、一時停止および停止は操作ボタンにより操作される。
【００２６】
つぎに、上記構成携帯端末１の動作について説明する。
なお、以下の説明では、動画再生時に着信が生じた際の動作について説明し、通常の音声通信やデータ通信に関わる動作についての詳細な説明は省略する。
図２は、動画再生時に着信が生じた際の処理を説明するためのフローチャートである。この処理は、とくに断らないかぎり図１に示す制御部１２０の制御により上述した構成の説明で明示した各部で実行され、ステップの遷移は自動で、あるいは、操作部１０８を介したユーザからの要求によって行われる。
図３は、着信等の通知の方法を説明するために、図１に示す表示手段１０２Ａの表示画面の推移を示す図である。以下の説明では図２および図３のほかに適宜図１を参照する。
【００２７】
ステップＳ１およびＳ２において、動画再生処理が実行される。
まず、携帯型記録媒体を用いる場合はユーザが、その媒体を携帯端末の筐体１００に設けられたスロット（不図示）に装着する。ダウンロードの場合は、その手続きを行ってメモリ１０９に所望の映像コンテンツが記憶されているものとする。そのような必要な手続きを行うと表示手段１０２Ａに動画データの一覧が自動表示され、ユーザがキー操作により所望の映像コンテンツを含むデータを選択し（ステップＳ１）、プレイボタンを押すと動画再生が開始される（ステップＳ２）。
このとき動画は表示手段１０２Ａ、たとえば液晶または有機ＥＬパネルにおいて、たとえば図３に示す状態Ａのように表示されている。この例における表示画面においては、動画再生領域１０２Ｂに動画が表示され、ピクトグラフ（絵文字）の表示領域１０２Ｃに受信電界強度バーおよび時計が表示され、動画再生領域の下に位置する再生状態表示領域１０２Ｄにコンテンツの残り時間の目安表示のために動くインジゲータ、再生時間および動作状態が表示されている。
このときの再生音は図１に示すスピーカ１０７から出力される。ただしヘッドフォン５の場合は、それをジャック１０５Ａに挿入して用いる。
【００２８】
ステップＳ３において、動画再生中を含めて常に着信の有無が監視されている。これは制御部１２０が送受信部１０１の状態をモニタすることにより実行する。着信があると、処理フローがステップＳ４に遷移し、着信がない場合はつぎのステップＳ１１に移行する。
ステップＳ１１において、再生終了の操作の有無が監視されている。再生終了の操作がない場合、再度ステップＳ３に戻り、着信と再生終了操作の何れかがあるまでステップＳ３とＳ１１を所定の短いタイミングで繰り返している。再生終了があると所定の再生終了処理、たとえば動画データの一覧表示に戻るなどの処理を行った後、図２に示すフローが終了する。
【００２９】
ステップＳ３において着信が検出されると、通話処理の一環として、ステップＳ４において着信がユーザに通知される。
この通知では、図３の状態Ｂに示すように、たとえば再生状態表示領域１０２Ｄの一部を利用して着信中であることの表示と、その通信元電話番号が表示される。この表示画面は、たとえば、受信信号やメモリの保持内容を参照して送信元を特定し、その電話番号と着信中の表示情報とを映像処理部１０４に送り、そこで再生中の動画と合成することにより生成される。これらの着信に関する情報の表示は一定時間で消えるようにしてもよいし、着信がある間は表示してもよい。これはユーザが予め設定することにより選択できる。表示が一定時間で消える場合は、図３の状態Ｃに示すように、ピクトグラフの表示領域１０２Ｃに電話アイコンなどを表示してユーザに着信が続いていることを通知するとよい。
このとき、これらの付加情報が動画を邪魔しない位置と大きさに、各表示領域が調整することが望ましい。たとえば、ピクトグラフの表示領域１０２Ｃを残して画面一杯に動画が再生されている場合は、ピクトグラフの表示領域１０２Ｃに、これらの付加情報を表示させることができる。あるいは、動画再生領域を必要なだけ縮小し、付加情報のための空き領域を設けてもよい。
【００３０】
表示による着信通知と同時に、あるいは前後して、バイブレータまたはＬＥＤなどの着信報知手段１１０により着信があったことをユーザに知らせることが望ましい。
【００３１】
ステップＳ５において、イヤホンマイク４の挿入が、イヤホン検出手段１０５によって監視されている。
ユーザが着信の相手を確認し通話を行う場合にイヤホンマイク４がジャック１０５Ａに挿入されると、そのイヤホンマイク４のプラグがバス２に電気的に接続され、通話可能なことがイヤホン検出１０５によって確認される。すると、検出信号が制御部１２０に送られ、これにより制御部１２０は処理フローをステップＳ６に移行させ、このステップで応答に必要な通話処理を実行する。
【００３２】
このときの通話処理では、発信先の情報を発信先リスト（アドレス帳）または着信履歴の中から選択できるように、たとえば動画領域をある程度縮小して表示させる。また、発信先の表示は一時的なので、一時的に動画を非表示として発信元を表示画面一杯に表示してもよい。後で余計なキー操作をユーザに課さないために、このとき動画再生は継続している。
ユーザにより発信先が選択され、または、テンキーにより電話番号が押されると、それが表示手段１０２Ａに表示される。その後、発信先が特定されて送受信部１０１により呼出信号が発信され、相手が応答すると通話の通信路が確立する。通信路が確立するためのユーザ操作後は、不要な情報を非表示として動画再生画面を主体とした表示に戻す。
また、音声に関しては、音声制御部１０３において通話の音はイヤホンマイク４に入出力するようにして、マイク１０６およびスピーカ１０７側の通信経路は遮断される。
【００３３】
以上の通話処理において情報表示および消去は、前述の場合と同様、映像処理部１０４による画像合成に基づくものである。
【００３４】
図２のステップＳ７において、イヤホンマイク４が抜かれたかが監視されている。イヤホンマイク４が抜かれていない場合は、この判断が短い周期で繰り返される。
イヤホンマイク４が抜かれると処理フローがつぎのステップＳ８に進み、ここでオフフック処理、たとえば通信路の閉鎖、通話時間の記録および履歴更新などを行う。また、通話終了処理の一環として、表示画面を図３の状態Ｄのように最初の状態に戻す。
その後、処理がステップＳ１１に戻り、終了があるまでは動画再生のみが実行される。
【００３５】
一方、前述したステップＳ５の判断が「Ｎｏ」、すなわちイヤホンマイク４の挿入が検出されない場合は、ステップＳ９における一定時間の経過を条件に、ユーザが通話にでる意思がないとみなし通話終了処理として、たとえば電子メールによるメッセージの送信を行い（ステップＳ１０）、その後、オンフック処理（ステップＳ８）に移行する。
【００３６】
なお、本例では、デフォルトでは動画再生モードを維持するとしたが、ユーザの選択により一時停止させる場合は、図２における通話処理のステップＳ６で、そのときの動画の再生停止位置を記録してメモリに保持しておき、ステップＳ８のオンフック処理後に、通話終了処理の一環として、動画再生停止位置をメモリから読み出して、そこから再生を再開することもできる。
【００３７】
また、動画再生を行うことを説明したが、静止画の場合、たとえば携帯端末内蔵のカメラにより撮像した画像を閲覧することが考えられる。このような場合、通話中も画像閲覧、画像の登録、フォルダ間移動、画像の消去など、通常の操作が可能にしておき、ユーザが通話中にこれらの作業を行うようにできることが望ましい。このようにすると通話内容によっては、これから送る画像選択の相談ができるという利点もある。
【００３８】
本実施の形態によれば、イヤホンマイク４で通話を行うことで動画（または静止画）を見ながら通話を行うことができる。ユーザは動画を見たくなければ、通話に必要な情報は最低限表示されるので、動画を見なければ済む。
一般に、通話時間は短い場合も多く、そのような場合に着信の度に動画再生が停止されるようでは、かえって動画再生開始のキー操作をユーザに強いることになるため不便である。通話が長くなるような場合のみ、ユーザ操作により一時停止できるようにするほうがユーザ選択の幅も広く好ましい。
本実施の形態の携帯端末は、このような要求を満たすものである。
【００３９】
また、本実施の形態では、イヤホンマイク４を抜き差しすることで着信応答が可能なことから、誤ったキー操作により動画再生を終了してしまうといった誤動作が起きない。
また、再生している部分に重ならないように着信通知のための表示、発信先リストなどの応答のための情報を表示できる。このため、このとき動画に見入っているユーザに、その鑑賞を邪魔しないで着信を容易に知らせ、ユーザは動画を見ながら応答処理のための操作を容易に行うことができる。
さらにユーザに応答する意思がない場合でも自動で通話終了処理が実行されることから、そのようなユーザは動画鑑賞を、何の操作をしなくても続けることができる。
【００４０】
以上より、本発明によってユーザにとって使いやすく、誤動作が起きにくい携帯端末が実現できる。
【産業上の利用可能性】
【００４１】
本発明は、外部の音声変換手段（たとえば、イヤホンマイク）が着脱可能に接続でき、通話機能を有する携帯端末の用途に適用できる。
【図面の簡単な説明】
【００４２】
【図１】本実施の形態に関わる携帯端末の構成を示すブロック図である。
【図２】動画再生時に着信が生じた際の処理を説明するためのフローチャートである。
【図３】着信等の通知の方法を説明するために、図１に示す表示手段の表示画面の推移を示す図である。
【符号の説明】
【００４３】
１…携帯端末、２…バス、３…アンテナ、４…イヤホンマイク、５…ヘッドフォン、１００…筐体、１０１…送受信部、１０２…アプリケーション実行部、１０２Ａ…表示手段、１０２Ｂ…動画再生領域、１０２Ｃ…ピクトグラフの表示領域、１０２Ｄ…再生状態表示領域、１０３…音声制御部、１０４…映像処理部、１０５…イヤホン検出手段、１０５Ａ…ジャック、１０６…マイク、１０７…スピーカ、１０８…操作部、１０９…メモリ、１１０…着信報知手段、１２０…制御部、１２１…通話処理手段、１２２…通話終了処理手段
【図１】
2006211435.tif 000003
【図２】
2006211435.tif 000004
【図３】
2006211435.tif 000005